(57)【要約】【課題】  ピルファプルーフバンドを取り外すためのつまみ部に対して上方からつかめなくした構成のオーバーキャップにおいて、オーバーキャップ全体を缶から取り外すことができないようにする。【解決手段】  天面部８ａと筒部８ｂを備え、缶２の頂部に嵌合、取り付け可能なキャップ本体８と、筒部８ｂの下端縁に引き裂き部９を介して連設され、下端縁１０ａを缶の胴部３の外面に密着させて取り付け可能なピルファプルーフバンド１０と、そのピルファプルーフバンドに一端を連結して設けられたつまみ部２１を備えたオーバーキャップ１Ａにおいて、つまみ部の下端縁に、柔軟なフラップ２１Ｂを一体に形成し、つまみ部を下端縁側から指で引き上げにくくする。【選択図】  図５
2008081180.tif 000002
【特許請求の範囲】
【請求項１】
天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の筒部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延び、且つ上端縁を破断可能な連結部を介して前記ピルファプルーフバンドに連結されたつまみ部を備え、該つまみ部の下端縁に柔軟なフラップを一体に設けていることを特徴とする缶用オーバーキャップ。
【請求項２】
天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の筒部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延び、且つ上端縁を破断可能な連結部を介して前記キャップ本体の筒部外面に連結されたつまみ部を備えていることを特徴とする缶用オーバーキャップ。
【請求項３】
前記つまみ部の下端縁に柔軟なフラップを一体に設けていることを特徴とする請求項２記載の缶用オーバーキャップ。
【発明の詳細な説明】
【技術分野】
【０００１】
本発明は、例えば、粉ミルクなどの缶に使用する缶用オーバーキャップに関する。
【背景技術】
【０００２】
従来より、粉ミルクなどを収容する金属製の缶が使用されており、その缶の頂部には、開封後の缶を再閉鎖するため及び流通段階での不正開封を防止するため、合成樹脂製のオーバーキャップを取り付けることが行われている。このオーバーキャップは、天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の胴部外面に密着させて取り付け可能なピルファプルーフバンドと、そのピルファプルーフバンドをキャップ本体から引き裂く際に使用するつまみ部を備えており、缶の開封の際には、つまみ部をつかんで引っ張り、ピルファプルーフバンドの円周方向の一部領域に形成されている弱部を破断させ、次いでキャップ本体との間の引き裂き部を引き裂いて行くことで、ピルファプルーフバンドをキャップ本体から除去し、その後、キャップ本体を缶から外し、缶の天面部を開封するという操作を行っていた。
【０００３】
この種のオーバーキャップにおいて、ピルファプルーフバンドの引き裂きに用いるつまみ部としては、ピルファプルーフバンドの一部をつまみ部としたもの（例えば、特開２０００−２５８０３号公報参照）、ピルファプルーフバンドから突出するように形成したもの（例えば、実用新案登録第３０２８２９２号公報参照）、ピルファプルーフバンドから突出するように形成すると共に、キャップ本体の筒部に形成した凹所に入り込むように上方に立ち上げたもの（例えば、特開２００１−３４１７６２号公報参照）などがある。しかしながら、これらのつまみ部にはそれぞれ問題があった。すなわち、ピルファプルーフバンドの一部をつまみ部としたものは、つまみ部をつかみ難く、また、ピルファプルーフバンドから突出するように形成したもの、あるいは更に筒部の凹所に入り込むように上方に立ち上げたものは、つまみ部に上方からアクセスしてつかむことができる構造であるため、流通段階などでつまみ部に、上方から不用意に手が触れたり、物がぶつかったりして、つまみ部を変形させたり破断させたりすることがあり、また、ピルファプルーフバンドを破断する恐れもあった。
【０００４】
一方、つまみ部を上方からはつかめないようにし、下方からアクセスしてつかむことの可能な構造のつまみ部も知られている。図７はそのつまみ部を備えたオーバーキャップ１を缶２に取り付けた状態で示す概略正面図、図８はその一部領域の概略断面図である。缶２は粉ミルク等を収容するもので、金属製の胴部３と、その胴部３の上端に巻締部４によって固定された金属製の天面部５と、その天面部５に形成された開口を閉じる蓋材６等を備えている。なお、本明細書において、缶２及びオーバーキャップ１に関して、「上方」、「下方」、「上端縁」、「下端縁」等のように、上下を示す表現を用いているが、これらの表現は、缶２及びオーバーキャップ１を、それぞれの天面部が上になるように置いた状態について言及するものとする。
【０００５】
オーバーキャップ１はポリエチレン、ポリプロピレン等の合成樹脂によって一体構造に形成されたものであり、天面部８ａとその外周に一体に連設された筒部８ｂを備え、缶の頂部の巻締部４に嵌合、取り付け可能なキャップ本体８と、該キャップ本体８の筒部８ｂの下端縁に引き裂き可能な引き裂き部９を介して連設され、下端縁１０ａを缶２の胴部３の外面に密着させて取り付け可能なピルファプルーフバンド１０と、そのピルファプルーフバンド１０の引き裂き時に使用するつまみ部１１等を備えている。
【０００６】
図９はそのつまみ部及びその周辺を示す概略正面図、図１０はそのつまみ部及びその周辺を示す概略下面図、図１１は図９のＡ−Ａ矢視概略断面図である。ピルファプルーフバンド１０は円周の一部領域に破断可能な弱部１３を備えている。つまみ部１１は、その一端（図面で右端）１１ａをピルファプルーフバンド１０の弱部１３の近傍に連結すると共に、ピルファプルーフバンド１０の弱部１３をはさんだ反対側の領域に沿って延びるように形成されている。更に、図１１から良く分かるように、つまみ部１１は、上端縁を破断可能な連結部１５を介してピルファプルーフバンド１０の上端領域に連結され、不用意に動くことがないようにすると共に上方からアクセスできないようにしている。また、つまみ部１１の下端縁及び先端縁（ピルファプルーフバンド１０に連結している一端１１ａとは反対側の端部）とピルファプルーフバンド１０との間には隙間１６が形成され、この隙間１６を利用してつまみ部１１に指を引っかけ、つまみ部１１をつかむことができるようにしている。なお、つまみ部１１にはつまんだ時に滑りにくくすると共に剛性を高めるためリブ１１ｂ、１１ｃが形成されている。この構成になるつまみ部１１は、つまみ部の上端縁が連結部１５を介してピルファプルーフバンド１０に連結されているため、流通段階などでつまみ部１１に上方から不用意に手が触れたり、物がぶつかったりしても、つまみ部１１が変形したり、破損したりすることがなく、また、ピルファプルーフバンド１０が破断してしまうということもない。開封に当たっては、下側からアクセスすることでつまみ部１１を容易につかむことができ、そのつまみ部１１を連結部１５を破断しながら引き起し、次いでそのつまみ部１１を引っ張ることで、ピルファプルーフバンド１０の弱部１３を破断させ、次いで引き裂き部９を引き裂いて、ピルファプルーフバンド１０を除去することができ、ピルファプルーフバンド１０の除去作業を容易に実施できるという利点を有している。
【０００７】
ところが、この構成のオーバーキャップ１にも問題のあることが判明した。すなわち、オーバーキャップ１は、缶２に取り付けた状態では、図８や図１１に示すように、ピルファプルーフバンド１０の下端縁１０ａを缶２の胴部３に密着させ且つそのピルファプルーフバンド１０の外周面を上方に広がるテーパ状とし、これに指をかけて力を加えることが困難でオーバーキャップ１全体を缶２から取り外すことができないようにしているが、図１２に示すように、つまみ部１１の下端縁に指をかけ、上端縁を中心として上方に旋回させるようにすると、それにつれてピルファプルーフバンド１０が引き裂き部９を中心として外側に旋回し、下端縁１０ａと缶２の胴部３との間に隙間が生じてしまい、下端縁１０ａに指を引っかけて上方に引き上げることが可能となる。このため、店頭等においていたずらでオーバーキャップ１を缶２から外し、缶２を開封するなどの細工を施した後、オーバーキャップ１を缶２に取り付けると、外観からは缶に細工が施されたことを識別できないという問題があった。
【特許文献１】特開２０００−２５８０３号公報
【特許文献２】実用新案登録第３０２８２９２号公報
【特許文献３】特開２００１−３４１７６２号公報
【発明の開示】
【発明が解決しようとする課題】
【０００８】
本発明はかかる問題点に鑑みてなされたもので、ピルファプルーフバンドを取り外すためのつまみ部に対して上方からのアクセスをできなくした構成のオーバーキャップにおいて、ピルファプルーフバンドを破断することなく、オーバーキャップ全体を缶から取り外すことができないようにすることを課題とする。
【課題を解決するための手段】
【０００９】
本願請求項１に係る発明は、この課題を解決するため、天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の胴部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延び、且つ上端縁を破断可能な連結部を介して前記ピルファプルーフバンドに連結されたつまみ部を備えた缶用オーバーキャップにおいて、前記つまみ部の下端縁に柔軟なフラップを一体に設けておくという構成としたものである。
【００１０】
請求項２に係る発明は、前記した課題を解決するため、天面部とその外周に一体に連設された筒部を備え、缶の頂部に嵌合、取り付け可能なキャップ本体と、該キャップ本体の筒部下端縁に引き裂き可能な引き裂き部を介して連設され、下端縁を缶の胴部外面に密着させて取り付け可能なピルファプルーフバンドであって、円周の一部領域に破断可能な弱部を備えたピルファプルーフバンドと、前記ピルファプルーフバンドの弱部の近傍に一端を連結し、該弱部をはさんだ反対側の領域に沿って延びるつまみ部を備えた缶用オーバーキャップにおいて、該つまみ部の上端縁を破断可能な連結部を介して前記キャップ本体の筒部外面に連結しておくという構成としたものである。
【００１１】
請求項３に係る発明は、前記した請求項２に係る発明の缶用オーバーキャップにおいて、前記つまみ部の下端縁に柔軟なフラップを一体に設けておくという構成としたものである。
【発明の効果】
【００１２】
上記した請求項１に係る発明の缶用オーバーキャップでは、つまみ部に対して上方からのアクセスを防止するために上端縁をピルファプルーフバンドに連結しているため、このつまみ部を、上端縁を中心として上方に旋回させることができればピルファプルーフバンドが一緒に旋回して、ピルファプルーフバンドの下端と缶との間に隙間が生じ、オーバーキャップ全体が缶から取り外される恐れが生じるが、このつまみ部の下端縁に指をかけて、上端縁を中心として上方に旋回させようとしても、つまみ部の下端縁に設けている柔軟なフラップが変形するため、つまみ部に力をかけにくく、つまみ部を旋回させることはきわめて困難である。このため、いたずらでオーバーキャップ全体が缶から取り外されてしまうということはほとんどなく、安全である。
【００１３】
請求項２に係る発明の缶用オーバーキャップでは、つまみ部に対して上方からのアクセスを防止するためにその上端縁を、ピルファプルーフバンドではなく、引き裂き部よりも上方に位置するキャップ本体の筒部外面に連結しているので、つまみ部の下端縁に指をかけ、上端縁を中心として上方に旋回させるようにしても、ピルファプルーフバンドは旋回させられることはなく、このためピルファプルーフバンドの下端縁は缶の胴部外面に密着した状態に保たれ、その下端縁に指を引っかけることは困難である。このため、いたずらでオーバーキャップ全体が缶から取り外されてしまうということはほとんどなく、安全である。
【００１４】
請求項３に係る発明の缶用オーバーキャップでは、つまみ部の上端縁をキャップ本体の筒部外面に連結すると共に前記つまみ部の下端縁に柔軟なフラップを一体に設けているので、つまみ部の下端縁に指をかけ、上端縁を中心として上方に旋回させることがきわめて困難であり、また、例えそのつまみ部が上方に旋回したとしてもピルファプルーフバンドは旋回しない。このため、オーバーキャップを全体として缶から取り外すことが一層困難となり、安全性が一層増す。
【発明を実施するための最良の形態】
【００１５】
図１は本発明の好適な実施の形態に係るオーバーキャップを缶に取り付けた状態で示す概略正面図、図２はその概略平面図、図３は、缶に取り付けた状態のオーバーキャップのつまみ部及びその周辺を示す概略正面図、図４はそのつまみ部及びその周辺を示す概略下面図、図５は図３のＢ−Ｂ矢視概略断面図、図６は図３のＣ−Ｃ矢視概略断面図であり、図７〜図１２に示す従来例と同一部品には同一符号を付し、説明は省略する。全体を参照符号１Ａで示す本発明の実施の形態に係るオーバーキャップも、粉ミルク等を収容する金属製の缶２の頂部に取り付けて使用するものであり、ポリエチレン、ポリプロピレン等の合成樹脂によって一体構造に形成されている。このオーバーキャップ１Ａも、天面部８ａとその外周に一体に連設された筒部８ｂを備え、缶の頂部の巻締部４に嵌合、取り付け可能なキャップ本体８と、該キャップ本体８の筒部８ｂの下端縁に引き裂き可能な引き裂き部９を介して連設され、下端縁１０ａを缶２の胴部３の外面に密着させて取り付け可能なピルファプルーフバンド１０を備えており、そのピルファプルーフバンド１０は円周の一部領域に破断可能な弱部１３を備えている。引き裂き部９及び弱部１３は破断可能な強度のものであれば、その構造には限定されず、具体的な例としては、薄肉化した構造、ミシン目構造、１本若しくは複数本の破断可能な細い線状の連結部を備えた構造等を挙げることができる。
【００１６】
オーバーキャップ１Ａは更に、ピルファプルーフバンド１０の引き裂き時に使用するつまみ部２１を備えている。このつまみ部２１は、その一端（図面で右端）２１ａをピルファプルーフバンド１０の弱部１３の近傍に連結すると共に、ピルファプルーフバンド１０の弱部１３をはさんだ反対側の領域に沿って延びるように形成されている。更に、図５から良く分かるように、つまみ部２１は、上端縁を破断可能な連結部１５を介して、引き裂き部９よりも上方位置で筒部８ｂの外面に連結され、不用意に動くことがないようにすると共に上方からアクセスできないようにしている。また、つまみ部２１は、下方に行くにつれてピルファプルーフバンド１０のテーパ状の外周面から離れるように、その外周面に対しては傾斜して形成されており、これにより、つまみ部２１の下端縁及び先端縁（ピルファプルーフバンド１０に連結している一端２１ａとは反対側の端部）とピルファプルーフバンド１０との間には隙間１６が形成され、この隙間１６を利用して指を引っかけ、つまみ部１１をつかむことができるようにしている。更に、つまみ部２１は、ピルファプルーフバンド１０の除去のために指でつまんで引っ張る際に、その引っ張り力に耐える強度を備えた本体部分２１Ａと、その下端縁に一体に形成された柔軟なフラップ２１Ｂを備えている。このフラップ２１Ｂは、本体部分２１Ａに比べて厚みを薄くすることで適度な柔軟性を付与されている。本体部分２１Ａには、指でつまんだ時に滑りにくくすると共に剛性を高めるためリブ２１ｂ、２１ｃも形成されている。
【００１７】
上記構成のオーバーキャップ１Ａは、図１、図５等に示すように、缶２の頂部に嵌合して取り付けられ、その状態で流通させられる。この時、ピルファプルーフバンド１０の下端縁１０ａは缶２の胴部３に密着、嵌合している。つまみ部２１は、つまみ部の上端縁が連結部１５を介してキャップ本体８の筒部８ｂに連結されているため、流通段階などでつまみ部２１に上方から不用意に手が触れたり、物がぶつかったりしても、つまみ部１１が変形したり、破断したりすることなく、またピルファプルーフバンド１０が破断してしまうということもなく安全である。また、だれかがいたずらで、オーバーキャップ１Ａを缶２から取り外そうとしても、ピルファプルーフバンド１０の下端縁１０ａが缶２の胴部３に密着、嵌合していて、この下端縁１０ａに指を引っかけにくいため、下端縁１０ａに指をひっかけて缶２から取り外すことはほとんど不可能である。また、図１２の従来例で説明した場合と同様に、つまみ部２１の下端縁に指をかけ、上端縁を中心として上方に旋回させようとした場合、図５から良く分かるように、つまみ部２１の下端縁には柔軟なフラップ２１Ｂがあるので、これが主として変形し、本体部分２１Ａはほとんど旋回しない。また、例え、本体部分２１Ａが旋回したとしても、つまみ部２１の上端縁は連結部１５を介してキャップ本体８の筒部８ｂに連結されていてピルファプルーフバンド１０には連結されていないので、ピルファプルーフバンド１０が外側に旋回させられることはなく、このためピルファプルーフバンド１０の下端縁１０ａは缶２の胴部３の外面に密着した状態に保たれ、その下端縁に指を引っかけることは困難である。かくして、いたずらでオーバーキャップ１Ａ全体を缶から取り外そうとしても、取り外すことはできず、安全である。
【００１８】
缶２の開封に当たっては、つまみ部２１の下端縁側或いは先端縁側からアクセスしてつまみ部２１をつかみ、連結部１５を破断しながらつまみ部２１を引き起し、次いで、それを引っ張ることで、ピルファプルーフバンド１０の弱部１３を切り離し、キャップ本体８との間の引き裂き部９を引き裂き、ピルファプルーフバンド１０を除去する。次いで、キャップ本体８を缶２の頂部から取り外し、缶２の天面部５の蓋材６を剥がし、開封する。缶２の内容物を必要量だけ取り出した後は、キャップ本体８を再度缶２の頂部に嵌合、取り付けることで、缶２をキャップ本体８で再閉鎖することができる。
【００１９】
以上に本発明の好適な実施の形態を説明したが、本発明はこの実施の形態に限定されるものではなく、特許請求の範囲の記載範囲内で適宜変更可能である。例えば、つまみ部２１の下端縁にフラップ２１Ｂを形成している場合、つまみ部２１の上端縁をキャップ本体の胴部８ｂに連結する場合に限らず、ピルファプルーフバンド１０の上端に連結してもよい。また、つまみ部２１の上端縁をキャップ本体の胴部８ｂに連結している場合には、フラップ２１Ｂを省略してもよい。
【図面の簡単な説明】
【００２０】
【図１】本発明の好適な実施の形態に係るオーバーキャップを缶に取り付けた状態で示す概略正面図
【図２】缶に取り付けた状態のオーバーキャップの概略平面図
【図３】缶に取り付けた状態のオーバーキャップのつまみ部及びその周辺を示す概略正面図
【図４】図３に示す部分の概略下面図
【図５】図３のＢ−Ｂ矢視概略断面図
【図６】図３のＣ−Ｃ矢視概略断面図
【図７】従来のオーバーキャップを缶に取り付けた状態で示す概略正面図
【図８】図７に示すオーバーキャップ及び缶の一部領域の概略断面図
【図９】図７に示すオーバーキャップ及び缶におけるつまみ部及びその周辺を示す概略正面図
【図１０】図９に示す部分の概略下面図
【図１１】図９のＡ−Ａ矢視概略断面図
【図１２】図１１に示す部分を、つまみ部１１の下端縁に指をかけ、上端縁を中心として上方に旋回させた状態で示す概略断面図
【符号の説明】
【００２１】
１、１Ａ  オーバーキャップ
２  缶
３  胴部
４  巻締部
５  天面部
６  蓋材
８  キャップ本体
８ａ  天面部
８ｂ  筒部
９  引き裂き部
１０  ピルファプルーフバンド
１１、２１  つまみ部
１１ａ、２１ａ  一端
１１ｂ、１１ｃ、２１ｂ、２１ｃ  リブ
１３  弱部
１５  連結部
１６  隙間
２１Ａ  本体部分
２１Ｂ  フラップ
【図１】
2008081180.tif 000003
【図２】
2008081180.tif 000004
【図３】
2008081180.tif 000005
【図４】
2008081180.tif 000006
【図５】
2008081180.tif 000007
【図６】
2008081180.tif 000008
【図７】
2008081180.tif 000009
【図８】
2008081180.tif 000010
【図９】
2008081180.tif 000011
【図１０】
2008081180.tif 000012
【図１１】
2008081180.tif 000013
【図１２】
2008081180.tif 000014